(57)【要約】【課題】  多色ジャカード編糸により、両面に４色以上の自在な柄出しを可能とするとともに、ジャカード筬のみで編地の編成を可能とする多色両面ジャカード柄経編地の編成方法と、この編成方法により得られる経編地を提供することを目的とする。【解決手段】  複列の編針列、及び各編コースにおいてガイドニードルの変位を２回選択可能な少なくとも２列のジャカード筬を備えた経編機を用い、ジャカード筬の各列に通糸した少なくとも４色の編糸のうち、選択された１色の編糸にて、一方及び／又は他方の編針で、ニードルループを形成するとともに、この編糸により形成されるニードルループによるウエールも、前記編糸で連結編成させるようにする編成方法と、この編成方法により得られる多色両面柄経編地を特徴とする。【選択図】  図３
2007308809.tif 000002
【特許請求の範囲】
【請求項１】
複列の編針列、及び各編コースにおいてガイドニードルの変位を２回選択可能なジャカードガイドを設けてなる少なくとも２列のジャカード筬を備えた経編機を用い、前記ジャカード筬の各列に通糸してなる少なくとも４色の編糸のうち、柄構成に基づき選択された１色の編糸にて、一方及び／又は他方の編針列における所望の編針で、ニードルループの形成を行わせるとともに、ジャカードガイドに通糸した編糸により、前記ニードルループにより形成される両面ウエールを緯方向に適宜連結させて、両面にニードルループによる多色ジャカード柄が構成された両面柄経編地を編成することを特徴とする多色両面ジャカード柄経編地の編成方法。
【請求項２】
編針列の針本数を、編機ゲージの半数分オフセットで配列し、配列された編針の本数と同数のジャカードガイドを備えたジャカード筬を用いて編成することを特徴とする請求項１に記載の多色両面ジャカード柄経編地の編成方法。
【請求項３】
両面のウエールを２本以上集束する房部と、ウエールが連結された一定幅の平編部を編立て方向で交互に形成することを特徴とする請求項１又は請求項２に記載の多色両面ジャカード柄経編地の編成方法。
【請求項４】
平編地中の所望編コース内で、所望ウエールを部分的に絞って穴部を形成することを特徴とする請求項１から請求項３のいずれか１項に記載の多色両面ジャカード柄経編地の編成方法。
【請求項５】
両面に形成するジャカード柄を、異なるジャカード柄に編成することを特徴とする請求項１から請求項４のいずれか１項に記載の多色両面ジャカード柄経編地の編成方法。
【請求項６】
両面において、少なくとも４色の編糸のうちの選択された１色の編糸のニードルループの集合により形成された両面異種ジャカード柄を有する平編部と、前記両面の基布を形成するウエールが２本以上集束された房部が、前記平編部の端に形成されてなることを特徴とする多色両面ジャカード柄経編地。
【発明の詳細な説明】
【技術分野】
【０００１】
本発明は、複列の編針列、及び各編コースにおいてガイドニードルの変位を２回選択可能なジャカードガイドを設けてなるジャカード筬を備えた経編機を用いて編成される、多色両面ジャカード柄経編地の編成方法と経編地に関する。
【背景技術】
【０００２】
多色両面ジャカード柄経編地については、すでに知られているところであり、当出願人が特許権を取得済みの特許文献１において提案されている。
【０００３】
この特許では、柄出しをジャカード糸のみにより行い、３色以上のジャカード柄を構成可能としたものであるが、配される３色以上のジャカード糸は、同一ウエール上で挿入と編み目形成がジャカード制御により選択されてなされるとともに、形成されるウエールは、別途に配されるジャカード糸以外の地糸により連結されることで基布が構成されることになる。
【特許文献１】特許登録第３６０７７８６号公報
【発明の開示】
【発明が解決しようとする課題】
【０００４】
上記従来技術において、形成されるウエールをつなぐものは、ジャカード糸以外の地糸によるものであるので、経編機の筬配列構成で、ジャカード筬以外に別途地糸を導糸するための地筬が必要となる。又、ジャカード糸について、柄出しを行わないものは、１列のウエール中に編み込まれることになるので、基布の緯方向での凹凸状態が顕著となり、プレーンな生地を必要とする用途には、適するものとはならなかった。
【０００５】
本発明は、ジャカード編糸を用いた多色両面経編地の編成において、多色ジャカード編糸により両面で自在な柄出しを可能にするとともに、地糸を用いず、従って地筬が不要で、ジャカード編糸を通糸してなるジャカード筬のみで編成可能な経編機構造とすることができる編成方法と、該編成方法により編成される経編地を提供せんとするものである。
【課題を解決するための手段】
【０００６】
上記課題を解決するために本発明は、複列の編針列、及び各編コースにおいてガイドニードルの変位を２回選択可能なジャカードガイドを設けてなる少なくとも２列のジャカード筬を備えた経編機を用い、前記ジャカード筬の各列に通糸してなる少なくとも４色の編糸のうち、柄構成に基づき選択された１色の編糸にて、一方及び／又は他方の編針列における所望の編針で、ニードルループの形成を行わせるとともに、ジャカードガイドに通糸した編糸により、前記ニードルループにより形成される表裏ウエールを緯方向に適宜連結させて、表裏面にニードルループによる多色ジャカード柄が構成された両面柄経編地を編成する構成としたものである。
【０００７】
又、本発明は、両面において、少なくとも４色の編糸のうちの選択された１色の編糸のニードルループの集合により形成された両面異種ジャカード柄を有する平編部と、前記両面の基布を形成するウエールが２本以上集束された房部が、前記平編部の端に形成されてなる経編地としたものである。
【発明の効果】
【０００８】
本発明の編成方法によれば、多色両面ジャカード柄経編地を構成する編糸はすべてジャカード編糸より構成可能となるので、経編機の筬配列構造において、全ての編筬をジャカード筬のみで構成可能となる結果、地筬に関わる編機設備が不要となり、所望の経編地編成のための経編機を合理的に構成可能となる。
【０００９】
又、本発明の編成方法により得られる経編地は、表裏両面において４色以上の多色ジャカード柄が構成された平編部と、該平編部の端に形成される房部が一体に構成されたものであるので、特にマフラー、ショールなど房が付属される衣料品に適したものとなる。
【発明を実施するための最良の形態】
【００１０】
編針列の針本数を、編機ゲージの半数分オフセットで配列し、配列された編針の本数と同数のジャカードガイドを備えたジャカード筬を用いて編成する構成とすることで、ジャカードガイドの変位量の制限により編成不能な編機ゲージの粗いものであっても、編機ゲージの半分の変位が可能なジャカードガイドを用いることでの編成が可能となるので、各編コースにおいてガイドニードルの変位を２回選択可能な既存のジャカード筬を備えた経編機での編成が可能となる。
【００１１】
表裏のウエールを２本以上集束する房部と、ウエールが連結された一定幅の平編部を編立て方向で交互に形成することで、房部が平編部に付属する構造のマフラー、ショールに代表される房付き衣料品に適した経編地の編成が可能となる。
【００１２】
平編地中の所望編コース内で、所望ウエールを部分的に絞って穴部を形成することで、平編部に穴部が必要に応じて形成可能となるので、平編部における多色による柄効果とともに、平編部に地組織変化が加味されることで非常に興趣のある経編地が得られる。
【００１３】
表裏面に形成するジャカード柄を、異なるジャカード柄に編成することで、例えば用途として供されるマフラーにおいては、リバーシブル使いが可能となるので、使用される時間や場所に応じた使い分けが１枚のマフラーで楽しめるものとなる。
【実施例】
【００１４】
次に本発明の実施例を図面に基づいて説明する。
【００１５】
図１は本発明の多色両面ジャカード柄経編地を編成するために使用してなる複列の編針列経編機の筬配列図の一例である。ＦＮは前部編針列、ＢＮは後部編針列であって、前後部編針列ＦＮ，ＢＮに対しジャカード筬が配列されてなる。ＰＪＢ１、ＰＪＢ２は各１対のジャカード筬であって、各ジャカード筬ＰＪＢ１，ＰＪＢ２には、各編コースにおいてガイドニードルの変位を２回選択可能なジャカード制御機構として代表される、圧電素子への通電により、個別に変位制御可能なジャカードガイドが各々に配設されている。各１対のジャカード筬ＰＪＢ１，ＰＪＢ２には、各々ジャカードガイドＰＪＢ１−１，１−２，２−１，２−２が編機ゲージに対し半分の本数分設けられており、それぞれ独立したジャカード筬（図示せず）は、編針列（ＦＮ，ＢＮ）の配設方向に、パターンホイールあるいはサーボモータ等の柄出し装置により、ラッピング可能に設けられている。
【００１６】
図２は、前部編針列ＦＮと後部編針列ＢＮに対するジャカードガイドＰＪＢ１−１，１−２，２−１，２−２の配列位置関係を示す編成部分の模式図である。図中、ＦＮ１，ＦＮ２，ＦＮ３，ＦＮ４，ＦＮ５…は、前部編針列ＦＮに配設される編針であり、ＢＮ１，ＢＮ２，ＢＮ３，ＢＮ４，ＢＮ５…は後部編針列ＢＮに配設される編針である。破線で描かれている丸印は、編機ゲージに対応する編針の仮想位置を示しており、この位置には編針は配設されていない。
【００１７】
ジャカードガイドＰＪＢ１−１，１−２は、編針ＦＮ１と編針ＦＮ２の間の仮想編針位置ＦＰ１と、編針ＦＮ１との略中央位置に設置され、編針列（ＦＮ）方向で、同ピッチ間隔でもって２枚のジャカード筬ＰＪＢ１にセットされている。同様に、ジャカードガイドＰＪＢ２−１，２−２は、編針ＢＮ２と編針ＢＮ１の間の仮想編針位置ＢＰ１と、編針ＢＮ２との略中央位置に設置され、編針列（ＢＮ）方向で、同ピッチ間隔でもって２枚のジャカード筬ＰＪＢ２にセットされている。
【００１８】
上記のごとく設けられた各ジャカードガイドＰＪＢ１−１，１−２，２−１，２−２に、例えば、赤、青、黄、緑などの異色の編糸が仕掛けられたクリール（図示せず）から引き出された各色の編糸を、それぞれに色分けして通糸する。
【００１９】
次に、本発明の編成方法について、具体的な編組織に基づいて説明する。図３は、本発明の編成方法を実施するための編組織の一実施例であり、図中、（ａ１）列に示される４種類の編組織は、ジャカードガイドＰＪＢ１−１，１−２に対するものであり、（ｂ１）列に示される４種類の編組織は、ジャカードガイドＰＪＢ２−１，２−２に対するものである。図中、Ｎ０の段は、各ジャカードガイドＰＪＢ１−１，１−２及び、ＰＪＢ２−１，２−２の基本組織、即ち、ジャカード筬への柄出し装置からのラッピング制御のみで、圧電素子への変位命令がない場合の編組織である。Ｎ１の段は、各ジャカードガイドＰＪＢ１−１，１−２及び、ＰＪＢ２−１，２−２が、前部編針列ＦＮ及び、後部編針列ＢＮに対しオーバラッピングを行うことでニードルループを形成させる場合のループ柄組織である。Ｎ２の段は、オーバラッピングを行わず、形成されたニードルループによる表裏ウエールを緯方向に連結する場合の連結挿入組織である。Ｎ３の段は、前記ウエールについて、２本以上を集束させることで房部の形成や、ループ柄組織の集合により形成される平編部の中に、部分的に房部を形成することでの穴部分を形成するための房・穴部組織である。
【００２０】
基本的に、ジャカードガイドＰＪＢ１−１，１−２とジャカードガイドＰＪＢ２−１，２−２の基本組織１，２は同じであり、そのチェーン番号は、０−０／０−０／２−２／２−２／／である。編組織図全体を通して示されているＦ１，Ｆ２は、前部編針列ＦＮにおける各編コースを、Ｂ１，Ｂ２は、後部編針列ＢＮにおける各編コースをそれぞれ示しており、編針のイラストは、配列される編針位置を、又、×印は、仮想編針位置をそれぞれ示している。更に矢印は、ジャカードガイドの圧電素子に、柄構成に基づいた変位信号が伝えられて、ジャカードガイドが基本位置から作用位置に変位する方向を示す。又、−１，０，１，２，３の各数字は、各ジャカードガイドが位置する編針間を示している。
【００２１】
ループ柄組織Ｎ１におけるジャカードガイドＰＪＢ１−１，１−２については、基本組織１より、変化組織１ａに変わる際に、編コースＦ１においては、まず始めに、アンダラッピングのタイミングの位置で、“０”の位置から“１”の位置へ変位し、次にオーバラッピングのタイミングの位置で、“１”から“０”に戻ることで前部編針ＦＮに対するニードルループの形成がなされる。又、編コースＦ２においては、オーバラッピングのタイミングの位置で、“２”から“３”に変位することで前部編針ＦＮに対するニードルループの形成がなされる。
【００２２】
次に、編コースＢ１においては、オーバラッピングのタイミングの位置で、“０”の位置から“１”の位置へ変位することで、後部編針ＢＮに対するニードルループの形成がなされる。又、編コースＢ２においては、アンダラッピングのタイミングの位置で、“２”の位置から“３”の位置へ変位し、次にオーバラッピングのタイミングの位置で、“３”から“２”に戻ることで後部編針ＢＮに対するニードルループの形成がなされる。
【００２３】
ループ柄組織Ｎ１におけるジャカードガイドＰＪＢ２−１，２−２については、基本組織２より、変化組織２ａに変わる際に、編コースＦ１においては、オーバラッピングのタイミングの位置で、“０”から“−１”に変位することで前部編針ＦＮに対するニードルループの形成がなされる。又、編コースＦ２においては、アンダラッピングのタイミングの位置で、“２”の位置から“１”の位置へ変位し、次にオーバラッピングのタイミングの位置で、“１”から“２”に戻ることで前部編針ＦＮに対するニードルループの形成がなされる。
【００２４】
次に、編コースＢ１においては、アンダラッピングのタイミングの位置で、“０”の位置から“−１”の位置へ変位し、次にオーバラッピングのタイミングの位置で、“−１”から“０”に戻ることで後部編針ＢＮに対するニードルループの形成がなされる。又、編コースＢ２においては、オーバラッピングのタイミングの位置で、“２”から“１”の位置へ変位することで後部編針ＢＮに対するニードルループの形成がなされる。
【００２５】
連結挿入組織Ｎ２におけるジャカードガイドＰＪＢ１−１，１−２については、基本組織１より、変化組織１ｂに変わる際に、編コースＦ２，Ｂ２において、アンダラッピングのタイミングの位置で、“２”から“３”に変位することで、隣接ウエールを連結する挿入編を行う。
【００２６】
又、連結挿入組織Ｎ２におけるジャカードガイドＰＪＢ２−１，２−２については、基本組織２より、変化組織２ｂに変わる際に、編コースＦ１，Ｂ１において、アンダラッピングのタイミングの位置で、“０”から“−１”に変位することで、隣接ウエールを連結する挿入編を行う。
【００２７】
房・穴部組織Ｎ３におけるジャカードガイドＰＪＢ１−１，１−２については、基本組織１より、変化組織１ｃに変わる際に、編コースＦ１，Ｂ１においてアンダラッピングのタイミングの位置で、“０”から“１”に変位し、又、編コースＦ２，Ｂ２にてアンダラッピングのタイミングの位置で、“２”から“３”の位置へ変位することで、ジャカードガイドより導糸される編糸が、１つのウエールに対し絡みつく挿入編となり、隣接ウエールとの関連のない房部の形成がなされる。
【００２８】
房・穴部組織Ｎ３におけるジャカードガイドＰＪＢ２−１，２−２については、基本組織２より、変化組織２ｃに変わる際に、編コースＦ１，Ｂ１においてアンダラッピングのタイミングの位置で、“０”から“−１”に変位し、又、編コースＦ２，Ｂ２にてアンダラッピングのタイミングの位置で、“２”から“１”の位置へ変位することでジャカードガイドより導糸される編糸を、１つのウエールに対し絡みつく挿入編とすることで、隣接ウエールとの関連をなくして房部の形成を行う。
【００２９】
ジャカードガイドＰＪＢ１−１，１−２とジャカードガイドＰＪＢ２−１，２−２によって、以上の通り、各々１つの基本組織１と基本組織２からニードルループによる柄構成を目的として形成されるループ柄組織１ａ，２ａを用いて、両面にニードルループによる多色ジャカード柄を構成するとともに、連結挿入組織１ｂ，２ｂにより、前記ニードルループより形成されるウエールを緯方向に連結させて平編部を形成する。又、適宜、房・穴部組織１ｃ，２ｃを適用することで、前記平編部に連結する房部を、ウエールを２本以上集束させることで形成することができる。
【００３０】
図４から図７に示す編組織は、本発明の編成方法を実施するための編組織の別実施例である。図４において、ジャカードガイドＰＪＢ１−１，１−２とジャカードガイドＰＪＢ２−１，２−２の基本組織１１，２１のチェーン番号は、０−０／０−０／４−４／４−４／／である。この編組織における基本組織１１，２１は、図３で示す基本組織１，２に比べ２編針間隔分（１ゲージに相当）アンダラップが長いのみで、Ｎ１の段におけるループ柄組織１１ａ，２１ａ、Ｎ２の段における連結挿入組織１１ｂ、２１ｂ、Ｎ３の段における房・穴部組織１１ｃ，２１ｃについては、基本的に変位量が１ゲージ分余分に変位されるのみで、編成方法は図３に示すものと同じであるので、ここでは説明を省略する。
【００３１】
図５の編組織において、ジャカードガイドＰＪＢ１−１，１−２とジャカードガイドＰＪＢ２−１，２−２の基本組織１２，２２のチェーン番号は、１−０／０−１／３−３／３−３／／である。
【００３２】
ループ柄組織Ｎ１におけるジャカードガイドＰＪＢ１−１，１−２については、基本組織１２より変化組織１２ａに変わる際に、編コースＦ１においては、先ず始めに、アンダラッピングのタイミングの位置で、“１”の位置から“２”の位置に変位し、次に、オーバラッピングのタイミングの位置で、“２”の位置に留まり、基本組織１２のオーバラッピングにより、前部編針ＦＮに対するニードルループの形成が行われる。又、編コースＦ２においては、アンダラッピングのタイミングの位置で“３”の位置に留まり、次に、オーバラッピングのタイミングの位置で、“３”の位置から“４”の位置に変位することで、前部編針ＦＮに対するニードルループの形成が行われる。
【００３３】
次に、編コースＢ１においては、アンダラッピングのタイミングの位置で、“０”の位置から“１”の位置に変位し、次に、オーバラッピングのタイミングの位置で、“１”の位置に留まり、基本組織１２のラッピングにより、後部編針ＢＮに対するニードルループの形成が行われる。又、編コースＢ２においては、アンダラッピングのタイミングの位置で“３”の位置から“４”の位置に変位し、次に、オーバラッピングのタイミングの位置で、“４”の位置から“３”の位置に戻ることで、後部編針ＢＮに対するニードルループの形成が行われる。
【００３４】
ループ柄組織Ｎ１におけるジャカードガイドＰＪＢ２−１，２−２については、基本組織２２より、変化組織２２ａに変わる際に、編コースＦ１においては、 “１”の位置に留まり、基本組織２２のオーバラッピングにより前部編針ＦＮに対するニードルループの形成がなされる。又、編コースＦ２においては、アンダラッピングのタイミングの位置で、“３”の位置から“２”の位置へ変位し、次にオーバラッピングのタイミングの位置で、“２”から“３”に戻ることで前部編針ＦＮに対するニードルループの形成がなされる。
【００３５】
次に、編コースＢ１においては、アンダラッピングのタイミングの位置で、“０”の位置に留まり、基本組織２２のオーバラッピングにより、後部編針ＢＮに対するニードルループの形成がなされる。又、編コースＢ２においては、アンダラッピングのタイミングの位置で、“３”の位置に留まり、オーバラッピングのタイミングの位置で“３”の位置から“２”の位置へ変位することで後部編針ＢＮに対するニードルループの形成がなされる。
【００３６】
連結挿入組織Ｎ２におけるジャカードガイドＰＪＢ１−１，１−２については、基本組織１２より変化組織１２ｂに変わる際に、編コースＦ１においては、先ず始めに、アンダラッピングのタイミングの位置で、“１”の位置に留まり、次に、オーバラッピングのタイミングの位置で、“１”の位置から“２”の位置に変位することで、基本組織１２のラッピングの動きとで相殺され、結果的に“１”の位置に留まってオーバラッピングせずに挿入編となる。又、編コースＦ２においては、アンダラッピングのタイミングの位置で、“３”の位置から“４”の位置に変位し、この位置を維持することで、挿入編となる。
【００３７】
次に、編コースＢ１においては、まずアンダラッピングのタイミングの位置で、“０”の位置から“１”の位置に変位し、次に、オーバラッピングのタイミングの位置で、“１”の位置から“０”の位置に戻ることで、基本組織１２のラッピングの動きと相殺され、結果的に “１”の位置に留まり、オーバラッピングせずに挿入編となる。又、編コースＢ２においては、アンダラッピングのタイミングの位置で“３”の位置から“４”の位置に変位し、次に、オーバラッピングのタイミングの位置で、“４”の位置に留まることで挿入編となる。
【００３８】
連結挿入組織Ｎ２におけるジャカードガイドＰＪＢ２−１，２−２については、基本組織２２より、変化組織２２ｂに変わる際に、編コースＦ１においては、先ず始めに、アンダラッピングのタイミングの位置で、“１”の位置から“０”の位置に変位し、オーバラッピングのタイミングの位置で、“０”の位置から“１”の位置に戻ることで、基本組織２２のラッピングの動きと相殺され、結果的に“０”の位置に留まってオーバラッピングせずに挿入編となる。又、編コースＦ２においては、アンダラッピングとオーバラッピングの両位置において、全く変位せずに基本組織と同じ動きで挿入編となる。
【００３９】
次に、編コースＢ１においては、まずアンダラッピングのタイミングの位置で、“０”の位置に留まり、オーバラッピングのタイミングの位置で、“０”の位置から“−１”の位置に変位することで、基本組織２２のラッピングの動きと相殺され、結果的に “０”の位置に留まり、オーバラッピングせずに挿入編となる。又、編コースＢ２においては、アンダラッピングとオーバラッピングの両位置において、全く変位せずに基本組織と同じ動きで挿入編となる。
【００４０】
房・穴部組織Ｎ３におけるジャカードガイドＰＪＢ１−１，１−２については、基本組織１２より、変化組織１２ｃに変わる際に、編コースＦ１，Ｂ１においては、連結挿入組織Ｎ２と同じであるので、説明を省略する。編コースＦ２，Ｂ２ではアンダラッピングのタイミングの両位置において全く変位せずに基本組織１２と同じ動きで挿入編となる。
【００４１】
房・穴部組織Ｎ３におけるジャカードガイドＰＪＢ２−１，２−２については、基本組織２２より、変化組織２２ｃに変わる際に、編コースＦ１，Ｂ１においては、連結挿入組織Ｎ２と同じであるので、説明を省略する。編コースＦ２，Ｂ２においては、アンダラッピングのタイミングの位置で、“３”から“２”の位置へ変位し、オーバラッピングラッピングはせずその位置に留まることで、挿入編となる。
【００４２】
図６に示す実施例編組織においては、基本組織が０−０／０−０／２−３／３−２／／であるが、この実施例の編組織と、図５に示す実施例編組織を比較すると、ニードルループを形成するためのオーバラッピングの編コースが、図５の場合、編コースＦ１，Ｂ１であるのに対して、図６の場合、編コースがＦ２，Ｂ２の違いのみで実質的な編成方法は変わらないので、説明は省略する。
【００４３】
又、図７に示す実施例編組織においては、基本組織０−０／０−０／３−４／４−３／／であるが、この実施例は、連結挿入組織Ｎ２における挿入編の緯方向の長さが、２ゲージ間となり、図４で示す連結挿入編Ｎ２における挿入編の緯方向の長さが３ゲージであるのに対し１ゲージ分短いものとなっているだけで、その他の編成方法は、基本的に同じであるので、説明を省略する。以上が編成方法の具体例を示す編組織図である。
【００４４】
次に、本発明の多色両面ジャカード柄経編地の編成方法により編成される本発明経編地の一例としてのマフラーについて、その編構造を説明する。
【００４５】
図８は、本発明の編成方法により編成されたマフラーの一実施例である。本マフラーの編成は、複列の編針列を有し、１対のジャカード筬を２列備えた２４ゲージの経編機を用いて編成したもので、具体的筬配列は、図１に示すとおりである。ジャカードガイドＰＪＢ１−１，１−２、ジャカードガイドＰＪＢ２−１，２−２は、編機ゲージの半数分である１２本／インチにオフセット配列で設けたものであり、編糸として、異色の４色、即ち、赤、青、黒、黄をクリールに載置して、編機に給糸することで編成した。
【００４６】
図中、１０ａは、マフラーの一面、１０ｂはマフラーの他面であり、一面１０ａと他面１０ｂには、各々４色の編糸による柄出しがなされ、一面１０ａと他面１０ｂが一体に平編部１００として編成されてなる。又、平編部１００の両端縁に接続して、房部２００ａ，２００ｂが設けられている。
【００４７】
ここで、平編部１００の編成構造について図９に基づいて説明する。図は平編部１００の一部について示しており、ジャカードガイドＰＪＢ１−１には、編糸５１が、ジャカードガイドＰＪＢ１−２には、編糸５２がジャカードガイドＰＪＢ２−１には、編糸５３が、ジャカードガイドＰＪＢ２−２には、編糸５４がそれぞれ通糸され、各ジャカードガイドＰＪＢ１−１，１−２，２−１，２−２に通糸してなる編糸５１，５２，５３，５４が、編コースＦ１，Ｂ１〜編コースＦ６，Ｂ６において、ジャカード制御され、各編組織に変化されて両面のウエール列ｗ１〜ｗ６が形成される。
【００４８】
図中、太実線が編糸５１を、破線が編糸５２を、細実線が編糸５３を、点線が編糸５４をそれぞれ示している。各ウエールｗ１〜ｗ６において、ニードルループについては、編コースＦ１〜Ｆ６における各編糸の１つのニードルループが一面１０ａにおける柄構成の基本となる、いわゆる画素となり、編コースＢ１〜Ｂ６における各編糸の１つのニードルループが、他面１０ｂにおける柄構成の画素となるものである。そして、各ウエールｗ１〜ｗ６相互については、各編糸５１〜５４の連結挿入組織Ｎ２によって、緯方向に連結がなされ、全体として、平編部１００が構成されてなるものである。
【００４９】
次に、房部２００ａ，２００ｂの編成構造について図１０に基づいて説明する。図は一方の房部２００ａの一部を示しており、前記同様ジャカードガイドＰＪＢ１−１，１−２，２−１，２−２に導糸した編糸５１，５２，５３，５４が各ウエールに１本宛配されている。Ａ１，Ａ２，Ａ３，Ａ４は房であって、房Ａ１，Ａ２，Ａ３，Ａ４は、ウエールｗ１，ｗ２、ウエールｗ３，ｗ４、ウエールｗ５，ｗ６、ウエールｗ７，ｗ８の各ウエール２本ずつが、１本に集束され形成されてなるもので、ここで房を代表して、房Ａ１により説明する。
【００５０】
房Ａ１では、３本の編糸５１によるニードルループの連結により、ウエールｗ１，ｗ２を構成するとともに、残りの編糸５２，５３，５４が房・穴部編組織を編成することで、ウエールｗ１とウエールｗ２が緯方向に連結されて両ウエールｗ１，ｗ２は絞られて１本の房が構成される。同様にして房Ａ２，Ａ３，Ａ４も構成されるものである。
【００５１】
なお、平編部１００における一面１０ａと他面１０ｂに表現されている柄構成は、４種の異色の編糸を自在に用いて表現されており、一面１０ａと他面１０ｂの柄構成は全く異なる柄構成とすることが可能であるので、使用される時間や場所に応じて使い分けが楽しめる、リバーシブル使いのマフラーとすることができた。
【００５２】
図１１に本発明の編成方法により編成されたマフラーの別実施例を示す。本編成は図８に示す一実施例同様、ジャカード糸として異色の編糸５１，５２，５３，５４を用い、両面に４色の柄構成を実施してなるものであるが、このマフラーの特徴は、平編部１００の中に穴部３００を構成してなることである。この穴部３００の編成構造について、図１２に基づいて説明する。
【００５３】
図１１図中における部分拡大図３００ａにおいて示すように、各ウエールが部分的に絞られて穴部を構成してなるもので、ウエールｗ２とウエールｗ３の間では、編コースＦ４，Ｂ４，Ｆ５，Ｂ５，Ｆ６，Ｂ６において、ウエール間で編糸の緯方向での連結がないように、房・穴部組織Ｎ３を用いて、編糸がウエールに絡みつく組織構造とすることで、穴部３００ａ１を設ける。又、ウエールｗ３とウエールｗ４の間では、編コースＦ１，Ｂ１，Ｆ２，Ｂ２，Ｆ３，Ｂ３において、ウエール間で編糸の緯方向での連結がないように、房・穴部組織Ｎ３を用いて、編糸がウエールに絡みつく組織構造とすることで、穴部３００ａ２を設ける。更に、ウエールｗ４とウエールｗ５の間では、編コースＦ４，Ｂ４，Ｆ５，Ｂ５，Ｆ６，Ｂ６において、ウエール間で編糸の緯方向での連結がないように、房・穴部組織Ｎ３を用いて、編糸がウエールに絡みつく組織構造とすることで、穴部３００ａ３を設ける。
【００５４】
上記編成の実施例においては、房部のあるマフラーを示しているが、むろん房部のないマフラーや、ショール、肩掛けなどの衣料品の他、アウター用の各種衣料についても、本発明の特許請求範囲を逸脱しない範囲において、含まれることは言うまでもない。又、使用される編糸は、特に限定されるものでなく、供される用途に見合う糸種の選択が可能である。
【産業上の利用可能性】
【００５５】
本発明の経編地は、マフラー等の衣料品分野に限らず、使用される経編地の糸使い、柄構成などを適宜選択することで、アウターなどの衣料分野に利用できるほか、カーペット、ベッドシーツなど、その他の寝装、インテリア部門にも幅広く利用することができる。
【図面の簡単な説明】
【００５６】
【図１】本発明の多色両面ジャカード柄経編地を編成するために使用してなる複列の編針列経編機の筬配列図の一例である。
【図２】前部編針列ＦＮと後部編針列ＢＮに対するジャカードガイドＰＪＢ１−１，１−２，２−１，２−２の配列位置関係を示す編成部分の模式図である。
【図３】本発明の編成方法を実施するための編組織の一実施例である。
【図４】本発明の編成方法を実施するための編組織の別実施例の一つである。
【図５】本発明の編成方法を実施するための編組織の別実施例の一つである。
【図６】本発明の編成方法を実施するための編組織の別実施例の一つである。
【図７】本発明の編成方法を実施するための編組織の別実施例の一つである。
【図８】本発明の編成方法により編成されたマフラーの一実施例を示す斜視図である。
【図９】平編部１００の一部の編成構造について示す編成組織図である。
【図１０】房部２００ａ，２００ｂの編成構造について示す編成組織図である。
【図１１】本発明の編成方法により編成されたマフラーの別実施例を示す斜視図である。
【図１２】穴部３００ａ１，３００ａ２，３００ａ３の編成構造について示す編成組織図である。
【符号の説明】
【００５７】
ＦＮ  前部編針列
ＢＮ  後部編針列
Ｆ１〜Ｆ６  前部編針列ＦＮにおける編コース
Ｂ１〜Ｂ６  後部編針列ＢＮにおける編コース
ＰＪＢ１，ＰＪＢ２  ジャカード筬
ＰＪＢ１−１，１−２、ＰＪＢ２−１，２−２  ジャカードガイド
ｗ１〜ｗ８  ウエール
Ｎ０  基本組織を示す段
Ｎ１  ループ柄組織を示す段
Ｎ２  連結挿入組織を示す段
Ｎ３  房・穴部組織を示す段
１，１１，１２，２，２１，２２  基本組織
１ａ，１１ａ，１２ａ，２ａ，２１ａ，２２ａ  変化組織
１ｂ，１１ｂ，１２ｂ，２ｂ，２１ｂ，２２ｂ  変化組織
１ｃ，１１ｃ，１２ｃ，２ｃ，２１ｃ，２２ｃ  変化組織
５１，５２，５３，５４  編糸
１０ａ  一面
１０ｂ  他面
１００  平編部
２００ａ，２００ｂ  房部
３００ａ１，３００ａ２，３００ａ３  穴部
【図１】
2007308809.tif 000003
【図２】
2007308809.tif 000004
【図３】
2007308809.tif 000005
【図４】
2007308809.tif 000006
【図５】
2007308809.tif 000007
【図６】
2007308809.tif 000008
【図７】
2007308809.tif 000009
【図８】
2007308809.tif 000010
【図９】
2007308809.tif 000011
【図１０】
2007308809.tif 000012
【図１１】
2007308809.tif 000013
【図１２】
2007308809.tif 000014